【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
ユーザシステムから広告リクエストを受信するステップであって、前記広告リクエストは、他のコンテンツの中で、ターゲットウェブページへのリンクを含む参照ウェブページを識別したデータを含む、ステップと、
前記参照ウェブページの前記コンテンツから広告コンテキストを決定するステップと、
１又は複数のプロセッサによって、前記参照ウェブページを識別した前記データから、又は、前記参照ウェブページの前記コンテンツから、地理的領域を決定するステップと、
前記広告コンテキスト及び前記地理的領域に関連付けられた広告を決定するステップと、
前記ターゲットウェブページ上への表示のため、少なくとも一部の前記地理的領域の地図を作成するステップであって、前記地図は、前記広告に関連付けられた前記地理的領域でのロケーションを識別するためのマーカを備える、ステップと
を具備することを特徴とする方法。
【請求項２】
広告を決定するステップは、
リポジトリ内に複数の広告を格納するステップと、
指定された地理的領域及び広告コンテキストに基づき、広告を検索するためのインデックスを作成するステップと、
地理的領域及び広告コンテキストを指定した広告に対するリクエストに応じて、前記インデックスを使用して、前記指定に合致する前記リポジトリから１又は複数の広告を検索するステップと
を具備し、
前記広告は、地理的領域及び広告コンテキストに関連付けられることを特徴とする請求項１に記載の方法。
【請求項３】
地図を作成するステップは、
前記地理的領域を指定した情報を受信するステップと、
前記情報を使用して、地図画像を作成するステップと
を具備することを特徴とする請求項１に記載の方法。
【請求項４】
表示のため、前記ユーザシステムに、前記ターゲットウェブページ、前記地図、及び前記広告を供給するステップをさらに具備することを特徴とする請求項１に記載の方法。
【請求項５】
前記広告に関連付けられた前記１又は複数の広告主との通信リンクを確立するため、前記広告内に、ユーザインターフェース要素を挿入するステップをさらに具備することを特徴とする請求項１に記載の方法。
【請求項６】
通信リンクを確立するステップは、前記広告に関連付けられた広告主との電話接続を自動的に確立するステップをさらに具備することを特徴とする請求項５に記載の方法。
【請求項７】
前記参照ウェブページを識別した前記データは、前記参照ウェブページのユニフォームリソースロケータ（ＵＲＬ）を含むことを特徴とする請求項１に記載の方法。
【請求項８】
前記参照ウェブページを識別した前記データは、前記参照ウェブページのウェブページコンテンツ識別子（ＩＤ）を含むことを特徴とする請求項１に記載の方法。
【請求項９】
地理的領域を決定するステップは、前記地理的領域に関連付けられた検索用語又はキーワードについて、前記参照ウェブページの前記コンテンツを検索するステップをさらに具備することを特徴とする請求項１に記載の方法。
【請求項１０】
前記広告リクエストを受信するステップに応答して、前記参照ウェブページをクロールするステップをさらに具備することを特徴とする請求項１に記載の方法。
【請求項１１】
前記広告コンテキスト及び前記地理的領域に関連付けられた広告を決定するステップは、前記広告コンテキストに関連する製品を提供し、かつ、前記地理的領域内に、又は近くに物理的な存在を有するビジネスを選択するステップをさらに具備することを特徴とする請求項１に記載の方法。
【請求項１２】
ビジネスを選択するステップは、前記広告コンテキストに関連する製品を提供し、かつ、前記広告コンテキストに関連する製品を提供する複数のビジネスの中で、前記地理的領域に最も近い物理的な存在を有するビジネスを選択するステップをさらに具備することを特徴とする請求項１１に記載の方法。
【請求項１３】
ビジネスを選択するステップは、前記広告コンテキストに関連する製品を提供し、かつ、前記広告コンテンツに関連する製品を提供する複数のビジネスの中で、各クリックスルーレート（ＣＴＲ）又はページランクに基づき決定された、最も人気があるビジネスを選択するステップをさらに具備することを特徴とする請求項１１に記載の方法。
【請求項１４】
地理的領域を決定するステップは、前記地理的領域に関連付けられた検索用語又はキーワードについて、前記参照ウェブページを識別した前記データを検索するステップをさらに具備することを特徴とする請求項１に記載の方法。
【請求項１５】
前記参照ウェブページの前記コンテンツから広告コンテキストを決定するステップは、前記参照ウェブページが割り当てられたウェブページのクラスタに関連付けられた広告コンテキストを決定するステップをさらに具備することを特徴とする請求項１に記載の方法。
【請求項１６】
１又は複数のコンピュータと、
格納された命令を有し、前記１又は複数のコンピュータに接続されたコンピュータ読み取り可能な媒体であって、前記１又は複数のコンピュータによって実行されるとき、前記１又は複数のコンピュータに、
ユーザシステムから広告リクエストを受信するステップであって、前記広告リクエストは、他のコンテンツの中で、ターゲットウェブページへのリンクを含む参照ウェブページを識別したデータを含む、ステップと、
前記参照ウェブページの前記コンテンツから広告コンテキストを決定するステップと、
前記参照ウェブページを識別した前記データから、又は、前記参照ウェブページの前記コンテンツから、地理的領域を決定するステップと、
前記広告コンテキスト及び前記地理的領域に関連付けられた広告を決定するステップと、
前記ターゲットウェブページ上への表示のため、少なくとも一部の前記地理的領域の地図を作成するステップであって、前記地図は、前記広告に関連付けられた前記地理的領域でのロケーションを識別するためのマーカを備える、ステップと
を実行させる、コンピュータ読み取り可能な媒体と
を備えることを特徴とするシステム。
【請求項１７】
前記広告コンテキスト及び前記地理的領域に関連付けられた広告を決定するステップは、前記広告コンテキストに関連する製品を提供し、かつ、前記地理的領域内に、又は近くに物理的な存在を有するビジネスを選択するステップをさらに具備することを特徴とする請求項１６に記載のシステム。
【請求項１８】
地理的領域を決定するステップは、前記地理的領域に関連付けられた検索用語又はキーワードのため、前記参照ウェブページを識別した前記データを検索するステップをさらに具備することを特徴とする請求項１６に記載のシステム。
【請求項１９】
前記参照ウェブページの前記コンテンツから広告コンテキストを決定するステップは、前記参照ウェブページが割り当てられたウェブページのクラスタに関連付けられた広告コンテキストを決定するステップをさらに具備することを特徴とする請求項１６に記載のシステム。
【請求項２０】
コンピュータプログラムでコード化されたコンピュータ記録媒体であって、
前記プログラムは、
１又は複数のコンピュータによって実行されるとき、前記１又は複数のコンピュータに、
ユーザシステムから広告リクエストを受信するステップであって、前記広告リクエストは、他のコンテンツの中で、ターゲットウェブページへのリンクを含む参照ウェブページを識別したデータを含む、ステップと、
前記参照ウェブページの前記コンテンツから広告コンテキストを決定するステップと、
前記参照ウェブページを識別した前記データから、又は、前記参照ウェブページの前記コンテンツから、地理的領域を決定するステップと、
前記広告コンテキスト及び前記地理的領域に関連付けられた広告を決定するステップと、
前記ターゲットウェブページ上への表示のため、少なくとも一部の前記地理的領域の地図を作成するステップであって、前記地図は、前記広告に関連付けられた前記地理的領域でのロケーションを識別するためのマーカを備える、ステップと
を実行させる命令を具備することを特徴とするコンピュータ記録媒体。